(57)【要約】【課題】お祝いされる人などに関わる特別な記念品を酒類と共に提供できるようにする。【解決手段】一方５Ａ及び他方５Ｂの第一の外装包装材５と、この第一の外装包装材５により包装される清酒２の容器１と、この清酒２と共に第一の外装包装材５に包装される少なくとも発行年月日表示部が設けられた新聞記事８があらわれている紙片９とを備える。紙片９に透明又は半透明の表面保護処理層10が設けられている。還暦祝い等のお祝いなどにこの清酒２の包装物を送ることで、受け取った人は飲酒の他に、さらにその人個人の記念になる新聞記事８を読むことができる。【選択図】図１
0003150913.tif 000002
【実用新案登録請求の範囲】
【請求項１】
外装包装材と、この外装包装材により包装される酒類の容器と、この容器と共に前記外装包装材に包装される少なくとも発行年月日表示部が設けられた新聞記事があらわれている紙片とを備えたことを特徴とする酒類の包装物。
【請求項２】
前記紙片に新聞記事の発行者表示部が設けられていることを特徴とする請求項１記載の酒類の包装物。
【請求項３】
前記容器が赤系色又は黒系色をなした透明又は半透明であることを特徴とする請求項１又は２記載の酒類の包装物。
【請求項４】
前記紙片に透明又は半透明の表面保護処理層が設けられていることを特徴とする請求項１〜３のいずれか１項に記載の酒類の包装物。
【請求項５】
前記表面保護処理層がラミネート加工層であることを特徴とする請求項４記載の酒類の包装物。
【考案の詳細な説明】
【技術分野】
【０００１】
本考案は、酒類の包装物に関するものである。
【背景技術】
【０００２】
従来、例えば還暦のお祝いに提供される酒類として、３つ以上に分割された分割蓋体を備え、樽状本体部の開口に分割蓋体に面接触で載置支持する蓋受け部が設けられた簡易鏡開き用酒樽が知られている（例えば、特許文献１）。
【０００３】
また、酒を収納する包装箱において、酒の商標，特徴，品質，受賞記録等の説明する記事の新聞紙を包装箱の表面巻回状態で付されているものも知られている（例えば、特許文献２）。
【先行技術文献】
【特許文献】
【０００４】
【特許文献１】特許第４１０１１２７号公報
【特許文献２】実用新案登録第３１４１４１０号公報
【考案の概要】
【考案が解決しようとする課題】
【０００５】
還暦などのお祝い事の記念として、例えば上記簡易鏡開き用酒樽にあっては、飲酒はできるものの還暦祝いされる人の個人に関わる特別な記念品はなく、一般的なお祝い品となる。また、新聞を包装箱に設けたものでは、表示が酒の商標，特徴，品質，受賞記録等の説明するものであるのでその表示はお祝いされる人の個人に関わる特別な記念品ではない。
【０００６】
解決しようとする問題点は、還暦祝いなどの記念として、お祝いされる人などに関わる特別な記念品を酒類と共に提供できるようにするものである。
【課題を解決するための手段】
【０００７】
請求項１の考案は、外装包装材と、この外装包装材により包装される酒類の容器と、この容器と共に前記外装包装材に包装される少なくとも発行年月日表示部が設けられた新聞記事があらわれている紙片とを備えたことを特徴とする酒類の包装物である。
【０００８】
請求項２の考案は、前記紙片に新聞記事の発行者表示部が設けられていることを特徴とする請求項１記載の酒類の包装物である。
【０００９】
請求項３の考案は、前記容器が赤系色又は黒系色をなした透明又は半透明であることを特徴とする請求項１又は２記載の酒類の包装物である。
【００１０】
請求項４の考案は、前記紙片に透明又は半透明の表面保護処理層が設けられていることを特徴とする請求項１〜３のいずれか１項に記載の酒類の包装物である。
【００１１】
請求項５の考案は、前記表面保護処理層がラミネート加工層であることを特徴とする請求項４記載の酒類の包装物である。
【考案の効果】
【００１２】
請求項１の考案によれば、包装物を受け取った人は飲酒の他に、さらにその人の記念になる新聞記事を読むことができる。
【００１３】
請求項２の考案によれば、新聞記事の信用度を高めることができる。
【００１４】
請求項３の考案によれば、酒類が赤系色又は黒系色に見えて、慶弔に対応することができる
請求項４の考案によれば、紙片にあらわされている記事に汚れがつくようなことはない。
【００１５】
請求項５の考案によれば、紙片の破損を防ぎ、また長期保存に耐えられる。
【図面の簡単な説明】
【００１６】
【図１】本考案の第１実施例を示す分解斜視図である。
【図２】同要部の一部を拡大断面した平面図である。
【図３】本考案の第２実施例を示す分解斜視図である。
【図４】本考案の第３実施例を示す分解斜視図である。
【図５】同斜視図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜２は実施例１を示しており、図中符号１は清酒２を収容した瓶等の容器であり、容器１は透明又は半透明であって、その色を、白・黒・栗（茶）・赤・橙・黄・緑・青・紫赤・桃色・灰色の１１色にわけたとき、赤・橙・紫赤・桃色のような赤色系のものが用いられる。この容器１の正面には、ちぎり和紙からなるラベル３が設けられており、このラベル３には還暦祝いなどではお祝いされる人の名前などの表示部４が設けられている。尚、清酒２にかえて、ビール類、ワイン類、焼酎類、ウイスキー類などの酒類でもよい。そして、この容器１は、衝撃吸収材を内蔵した上面を開口し内側が赤い布張りで桐製の箱本体である第一の外装包装材５の一方５Ａに収納されると共に、上面開口は桐製蓋の板である第一の外装包装材５の他方５Ｂによって閉じて固定できるようになっている。尚、ここで外装包装材は、物品の輸送、保管、取引、使用等に当たって、その状態や価値を保護するために外装するものであり、それにより包装されたものが包装物である。
【００１９】
さらに、第一の外装包装材５の内部には、容器１と共に、新聞が発行された月日を表示する発行年月日表示部６及び新聞社名や発行者など発行者表示部７が設けられた新聞記事８があらわれている紙片９を収納する。この新聞記事８は還暦祝いなどではお祝いされる人の誕生日のものが用いられ、そしてこの新聞記事８の出所としてその発行年月日をあわらした発行年月日表示部６、発行者をあらわした発行者表示部７が設けられている。この紙片９は当時の新聞紙そのものの他に、新たな紙に印刷やコピーなどによる複製によって形成する。したがって、発行年月日表示部６、発行者表示部７、新聞記事８は印刷によるインキ層や普通紙コピー機（ＰＰＣ複写機）のトナー層（着色粉体）によって形成される。この紙片９は表面保護のために、透明又は半透明の表面保護処理層10がラミネート加工層によって形成される。このラミネート加工層は、紙片９上にプラスチックフィルム、又はフォームなどの層を形成するものである
したがって、清酒２を収容した容器１と紙片９を第一の外装包装材５に収納した状態でお祝いされる人に贈られて、第一の外装包装材５を開くと、お祝いの清酒２の他に、お祝いされた人の誕生日の新聞記事８が記載された紙片９があらわれて、飲酒すると共に、個人の記念として誕生日当時の記事を読むことができる。
【００２０】
以上のように、前記実施例では請求項１に対応して、一方５Ａ及び他方５Ｂの第一の外装包装材５と、この第一の外装包装材５により包装される清酒２の容器１と、この清酒２と共に第一の外装包装材５に包装される少なくとも発行年月日表示部６が設けられた新聞記事８があらわれている紙片９とを備えたことで、還暦祝い等のお祝いなどにこの清酒２の包装物を送ることで、受け取った人は飲酒の他に、さらにその人個人の記念になる新聞記事８を読むことができ、プレゼント効果を高めることができる。
【００２１】
前記実施例では請求項２に対応して、前記紙片９に新聞記事８の発行者表示部７が設けられていることにより、新聞記事８の発行者を確認でき、新聞発行当時の内容である信用度を高めることができる。
【００２２】
前記実施例では請求項３に対応して、容器１が赤系色をなした透明又は半透明であることで、清酒２が赤系色に見えて、還暦などのお祝いの酒として飲酒することができる。
【００２３】
前記実施例では請求項４に対応して、紙片９に透明又は半透明の表面保護処理層10が設けられていることにより、紙片９にあらわされている記事に汚れがつくようなことはなく、記事を読むことができる。
【００２４】
前記実施例では請求項５に対応して、前記表面保護処理層10がラミネート加工層であるので、紙片の破損を防ぎ、また長期保存に耐えられるようになる。
【実施例２】
【００２５】
以下に他の実施例について説明する。尚、前記実施例１と同一部分には同一符号を付し、その詳細な説明を省略する。
【００２６】
図３に示す実施例２においては、前記実施例１の第一の外装包装材５の他に、この第一の外装包装材５をさらに収納するダンボール紙箱からなる第二の外装包装材11を設けたものである。そして、容器１は透明又は半透明に形成されており、その色は、白・黒・栗（茶）・赤・橙・黄・緑・青・紫赤・桃色・灰色の１１色にわけたとき、黒・灰色のような黒系色をなしたものが用いられる。
【００２７】
したがって、容器１を入れた第一の外装包装材５を紙片９と共に第二の外装包装材11に収納することで、例えば法事の品として使用することができる。
【実施例３】
【００２８】
図４，５に示す実施例３においては、前記実施例１の第一の外装包装材５の他に、この第一の外装包装材５をさらに包装する布又は紙からなる第三の外装包装材12を設けたものである。
【００２９】
したがって、容器１を入れた第一の外装包装材５を紙片９と共に第三の外装包装材12に風呂敷或いは包装紙のように収納することで、例えば簡易型の包装品として使用することができる。
【産業上の利用可能性】
【００３０】
以上のように本考案にかかる酒類の包装物は、各種の用途に適用できる。
【符号の説明】
【００３１】
１  容器
２  清酒（酒類）
５  第一の外装包装材
６  発行年月日表示部
７  発行者表示部
８  新聞記事
９  紙片
10  表面保護処理層
11  第二の外装包装材
12  第三の外装包装材
【図１】
0003150913.tif 000003
【図２】
0003150913.tif 000004
【図３】
0003150913.tif 000005
【図４】
0003150913.tif 000006
【図５】
0003150913.tif 000007